(57)【特許請求の範囲】
【請求項１】
支柱フレーム、横フレーム、奥行フレームを組み合わせてなる電気機器収納用箱のフレーム構造において、
前面側の支柱フレームと後面側の支柱フレームは、同じ折り曲げパターンで折り曲げられた複数の折曲辺からなり、
これらの複数の折曲辺のうち、箱体の前後の外側面を構成し、各種の機器が取り付けられる固定辺及びこの固定辺に平行な対向辺の、幅と断面形状を同一とし、固定辺から箱体の内面方向に直角に折り曲げられた第１折曲辺のみの奥行方向の幅を異なるものとしたことを特徴とする電気機器収納用箱のフレーム構造。
【請求項２】
前記の各フレームを箱体の内面側に開いた断面形状を持つ折曲フレームとするとともに、
前面側の支柱フレームと前面側の横フレーム、及び後面側の支柱フレームと後面側の横フレームによって幅が異なる前枠と後枠を形成し、これらの前枠と後枠間を奥行フレームで連結したことを特徴とする請求項１記載の電気機器収納用箱のフレーム構造。
【請求項３】
後面側の支柱フレームの奥行方向の幅を前面側の支柱フレームよりも広くし、その内面側にコンセントバーを設置可能な配線用スペース形成したことを特徴とする請求項１記載の電気機器収納用箱のフレーム構造。
【請求項４】
左右の支柱フレーム間をつなぐ横フレームの幅を、前後各々の支柱フレームと同幅としたことを特徴とする請求項２記載の電気機器収納用箱のフレーム構造。
【発明の詳細な説明】
【技術分野】
【０００１】
本発明は、支柱フレーム、横フレーム、奥行フレームを組み合わせてなる電気機器収納用箱のフレーム構造に関するものである。
【背景技術】
【０００２】
フレーム構造の電気機器収納用箱は、支柱フレーム、横フレーム、奥行フレームを４本ずつ組み合わせ、各フレームの端部どうしを溶接等によって連結することにより、直方体状のフレームを構成している。
【０００３】
このような電気機器収納用箱は、その用途によっては、内部に収納される電気機器のためのコンセントバーなどを配置する配線用スペースが必要となる。そのような場合には、特許文献１に示すように、電気機器収納用箱の筐体本体に別の配線用キャビネットを隣接配置することが行われている。
【０００４】
しかし別に配線用キャビネットを設けると、筐体形状が大型化するという問題がある。また配線用キャビネットを設けない場合には配線用スペースを筐体本体に設けねばならず、筐体自体を大きくしたり、電気機器の搭載量を減らすなどの必要性があった。
【先行技術文献】
【特許文献】
【０００５】
【特許文献１】特開２０１５−５６５７号公報
【発明の概要】
【発明が解決しようとする課題】
【０００６】
従って本発明の目的は上記した従来の問題点を解決し、配線用キャビネット等の別の筐体を用いたり、筐体本体を大型化したりすることなく、筐体本体にコンセントバーなどを搭載可能とした電気機器収納用箱のフレーム構造を提供することである。
【課題を解決するための手段】
【０００７】
上記の課題を解決するためになされた本発明は、支柱フレーム、横フレーム、奥行フレームを組み合わせてなる電気機器収納用箱のフレーム構造において、前面側の支柱フレームと後面側の支柱フレームは、同じ折り曲げパターンで折り曲げられた複数の折曲辺からなり、これらの複数の折曲辺のうち、箱体の前後の外側面を構成し、各種の機器が取り付けられる固定辺及びこの固定辺に平行な対向辺の、幅と断面形状を同一とし、固定辺から箱体の内面方向に直角に折り曲げられた第１折曲辺のみの奥行方向の幅を異なるものとしたことを特徴とするものである。
【０００８】
なお請求項２のように、前記の各フレームを箱体の内面側に開いた断面形状を持つ折曲フレームとするとともに、前面側の支柱フレームと前面側の横フレーム、及び後面側の支柱フレームと後面側の横フレームによって幅が異なる前枠と後枠を形成し、これらの前枠と後枠間を奥行フレームで連結することが好ましい。また請求項３のように、後面側の支柱フレームの奥行方向の幅を前面側の支柱フレームよりも広くし、その内面側にコンセントバーを設置可能な配線用スペース形成することが好ましい。また請求項４のように、左右の支柱フレーム間をつなぐ横フレームの幅を、前後各々の支柱フレームと同幅とすることが好ましい。
【発明の効果】
【０００９】
本発明によれば、前面側の支柱フレームと後面側の支柱フレームの奥行方向の幅を異なるものとしたので、幅広の支柱フレームの内側にコンセントバーを設置可能な配線用スペースを形成することができる。この結果、配線用キャビネット等の別の筐体を用いることなく、また筐体自体を大きくすることなく、筐体の内部にコンセントバーを設置可能な配線用スペースを確保することができる利点がある。請求項２の発明によれば、幅が異なる前枠と後枠を形成し、これらの前枠と後枠間を奥行フレームで連結するので、組立作業が容易となり、また前後の位置判断が容易となる。
【図面の簡単な説明】
【００１０】
【図１】フレーム構造の分解斜視図である。
【図２】前面側の支柱フレームの斜視図である。
【図３】前面側の支柱フレームの断面図である。
【図４】後面側の支柱フレームの斜視図である。
【図５】後面側の支柱フレームの断面図である。
【図６】前面側の横フレームの斜視図である。
【図７】前面側の横フレームの断面図である。
【図８】後面側の横フレームの斜視図である。
【図９】後面側の横フレームの断面図である。
【図１０】奥行フレームの斜視図である。
【図１１】奥行フレームの断面図である。
【図１２】フレーム構造の全体斜視図である。
【図１３】マウントフレームの斜視図である。
【図１４】マウントフレームの断面図である。
【図１５】マウントフレームの取付構造を示す斜視図である。
【図１６】マウントフレーム取付金具の斜視図である。
【図１７】マウントフレームの他の取付構造を示す斜視図である。
【図１８】マウントフレーム取付金具の斜視図である。
【図１９】コンセントバーと取付直前の状態を示す斜視図である。
【図２０】コンセントバーと取付直前の状態を示す拡大斜視図である。
【図２１】電気機器収納用箱の外観を示す斜視図である。
【図２２】扉の裏面構造を示す斜視図である。
【図２３】扉の取付構造を示す斜視図である。
【図２４】扉の取付構造を示す斜視図である。
【図２５】蝶番部分の拡大斜視図である。
【図２６】蝶番部分の拡大斜視図である。
【図２７】ハンドル部分の斜視図である。
【図２８】ハンドル部分の斜視図である。
【図２９】規制部材を示す斜視図である。
【図３０】鎖錠状態を示す斜視図である。
【図３１】側板の係止構造を示す外面側の斜視図である。
【図３２】側板の係止構造を示す内面側の斜視図である。
【図３３】側板の下部構造を示す斜視図である。
【図３４】側板の係止具を示す斜視図である。
【図３５】係止具操作片を示す斜視図である。
【発明を実施するための形態】
【００１１】
以下に本発明の実施形態を説明する。
図１に示されるように、本発明の電気機器収納用箱のフレーム構造は、従来と同様に、箱体の内面側に開いた断面形状を持つ折曲フレームからなる支柱フレーム１０、２０、横フレーム３０、４０、奥行フレーム５０を組み合わせ、各フレームの端部どうしを溶接、またはボルトのような接続金具等によって連結することにより、直方体を構成したものである。従来は各フレームを同一断面形状の折曲フレームとしたが、本発明では前面側の支柱フレーム１０と後面側の支柱フレーム２０の奥行方向の幅を異なるものとした。
【００１２】
図２、図３に示されるように、前面側の支柱フレーム１０は、固定辺１１と、その端部に連設された折返辺１２と、固定辺１１の他端に直角に連設された第１折曲辺１３と、その端部に直角に連設された第２折曲辺１４と、その端部に直角に連設され、固定辺１１に対して垂直な接続辺１５と、その端部に直角に連設され、固定辺１１に平行な対向辺１６と、その端部に直角に連設された機器取付辺１７とを備えている。固定辺１１は箱体の外側を向き、対向辺１６は箱体の内側を向くように配置される。すなわち、対向辺１６は後面側の支柱フレーム２０と対向するように配置され、固定辺１１は後述する扉側を向くように配置される。
【００１３】
固定辺１１には、後述する箱体側蝶番部９６、クランプ係止部１０１、鎖錠棒受け部１０４等が取付けられる。対向辺１６には、電気機器の取付レールや配線オプション等を固定するための孔部１８が形成されている。機器取付辺１７には、電気機器を固定したり電気機器搭載用の棚板等を取付けるための孔部１９が形成されている。第２折曲辺１４には後述するラッチ錠１１３の係止具１１６を係合させるためのスリット１１４が形成されている。接続辺１５には、後述するマウントフレーム取付金具７０を固定したり、側板１１０をねじ止めするための孔部１１９が複数個設けられている。また、この孔部１１９に側板固定金具を固定して側板１１０を固定するものでも良い。
【００１４】
後面側の支柱フレーム２０は、図４、図５に示すように前面側の支柱フレーム１０と同様に、固定辺２１と、その端部に連設された折返辺２２と、固定辺１１の他端に直角に連設された第１折曲辺２３と、その端部に直角に連設された第２折曲辺２４と、その端部に直角に連設され、固定辺２１に対して垂直な接続辺２５と、その端部に直角に連設され、固定辺１１に平行な対向辺２６と、その端部に直角に連設された機器取付辺２７とを備えている。すなわち、後面側の支柱フレーム２０と前面側の支柱フレーム１０の折り曲げパターンは、同一である。このように折り曲げパターンを同一としたため、各々の支柱フレームの加工が複雑とならない。しかし後面側の支柱フレーム２０の第１折曲辺２３は前面側の支柱フレーム１０の第１折曲辺１３よりも長く形成されている。このため、前面側の支柱フレーム１０と後面側の支柱フレーム２０の奥行方向の幅が大きく異なっている。従って同じ折り曲げパターンでありながら、一方の支柱フレームの内側に後述する配線用スペースを設けることができる。
【００１５】
後面側の支柱フレーム２０にも前面側の支柱フレーム１０と同様に、スリット１１４と孔部１１９が複数個設けられている。しかし後面側の支柱フレーム２０は前面側の支柱フレーム１０とは異なり、図２０に示すように折返辺２２に孔部２２ａを形成し、後述する機器取付板８２を固定可能としてある。
【００１６】
左右の支柱フレーム間をつなぐ横フレームも前面側と後面側とで幅が相違している。図６、図７は前面側の横フレーム３０を示す図であり、これらの図は下側の横フレーム３０を示しているため、箱体の内面側である上側に開いた断面形状となっている。すなわち、固定辺３１と、その端部に直角に連設された第１腕部３２と、その端部に直角に連設された連結部３３と、その端部に直角に連設された第２腕部３４と、その端部に直角に連設された補強辺３５とを備えている。第１腕部３２と第２腕部３４とは平行であり、連結部３３と固定辺３１とは平行である。これらの第１腕部３２と第２腕部３４との上側には開口が形成されている。なお、上側の横フレーム３０は天地が逆になる。固定辺３１には、後述するマウントフレーム取付金具７０を固定するための孔部３６が多数設けられている。
【００１７】
後面側の横フレーム４０も、図８、図９に示すように、固定辺４１と、その端部に直角に連設された第１腕部４２と、その端部に直角に連設された連結部４３と、その端部に直角に連設された第２腕部４４と、その端部に直角に連設された補強辺４５とを備えている。すなわち、後面側の横フレーム４０も前面側の横フレーム３０と折り曲げパターンは、同一である。しかし後面側の横フレーム４０の連結部４３は前面側の横フレーム３０の連結部３３よりも長く形成されている。
【００１８】
固定辺４１には、マウントフレーム取付金具７０を固定する孔部４６が設けられている。また後面側の横フレーム５０を後面側の支柱フレーム２０と同幅とすることにより、横フレームの内側にも配線用スペースを設けることができる。さらに配線入出線用の開口１２１を設けることができる。
【００１９】
図１に示すように、前面側の支柱フレーム１０と前面側の横フレーム３０とによって前面側の四角枠が形成され、後面側の支柱フレーム２０と後面側の横フレーム４０とによって後面側の四角枠が形成される。このため、前面側の支柱フレーム１０と前面側の横フレーム３の奥行方向の幅は等しく、後面側の支柱フレーム２０と後面側の横フレーム４０との奥行方向の幅は等しくなっている。後面側の四角枠の奥行は大きく、後述するようにこの部分を配線用スペースとして使用することができる。このように幅が異なる前枠と後枠とが形成されるため、前後位置の判断も容易となる。
【００２０】
これらの前後の四角枠間は、４本の奥行フレーム５０によって連結され、直方体状にフレーム構造となる。奥行フレーム５０も箱体の内面に開いた断面形状を持ち、上側と下側では天地が逆になる。図１０、図１１は下側の奥行フレーム５０を示す図であり、固定辺５１と、その端部に直角に連設された第１腕部５２と、その端部に直角に連設された連結部５３と、その端部に直角に連設された第２腕部５４と、その端部に直角に連設された折返辺５５と、その端部から上方に突設されたコ字状の取付辺５６とを備えている。固定辺５１には、底板を固定するための孔部５１ａが形成されている。また取付辺５６には電気機器の取付レールや配線オプション等を固定するための孔部５６ａが形成されている。
【００２１】
なお、前枠と後枠間を奥行フレームで連結した構造に替えて、前面側の横フレーム３０と後面側の横フレーム４０と奥行フレーム５０によって天井枠と底面枠とを形成し、これらを支柱フレーム１０、２０で接続することも可能である。
【００２２】
上記した支柱フレーム、横フレーム、奥行フレームによって電気機器収納用箱の骨格が形成されるが、図１２に示すようにその内側には支柱フレームと平行にマウントフレーム６０が取付けられる。マウントフレーム６０は図１３、図１４に示すように、略乙字状の折曲フレームであり、固定辺６１、その端部に直角に連設された取付金具取付部６２、その端部に直角に連設された第１折返辺６３、その端部に直角に連設された機器取付辺６４、その端部に直角に連設された第２折返辺６５を備えている。固定辺６１と機器取付辺６４には固定孔６６と機器取付孔６７が所定ピッチで形成されている。
【００２３】
図１２、図１５では、マウントフレーム６０は前後の横フレーム３０、４０間に架け渡されたマウントフレーム取付金具７０に固定されている。このマウントフレーム取付金具７０は図１６に示すような折曲フレームであり、前端部と後端部に多数の位置調整孔７１が形成されている。このためマウントフレーム６０の取付位置を前後方向に調整することができる。またマウントフレーム取付金具７０の孔部３６、４６への固定位置の変更により、マウントフレーム６０の取付位置を左右方向にも調整可能である。
【００２４】
しかし箱体の幅が狭い場合には、図１７、図１８に示すように前後にフレーム取付孔７２を備えたマウントフレーム取付金具７０を用い、前後の支柱フレームの接続辺１５、２５にマウントフレーム取付金具７０を固定することが好ましい。このマウントフレーム取付金具７０にも多数の位置調整孔７１が形成されているので、マウントフレーム６０の取付位置を前後方向に調整することができる。
【００２５】
上記のように構成されたフレーム構造においては、後面側の支柱フレーム２０及び後面側の横フレーム４０の奥行方向の幅が広く、図１９、図２０に示すように、その内面側にコンセントバー８０を設置可能な配線用スペース８１を確保することができる。この実施形態では、図１９、図２０に示すように後面側の支柱フレーム２０の上下の機器取付辺２７と折返辺２２に機器取付板８２が固定され、これらの機器取付板８２にコンセントバー８０が２列に取付けられている。後面側の支柱フレーム２０の幅広に形成された第１折曲辺２３の内側空間を、配線空間として使用することができる。
【００２６】
このように本発明においては、配線用キャビネット等の別の箱体を必要としないため、箱体を大きくすることなく、箱体内部に配線用スペースを確保することができる。また配線用キャビネット等の連結作業も不要となり、設置作業の作業性を高めることができる。なお、配線用スペースはコンセントバー８０を配置するだけではなく、配線を収納したり、その他電気機器を収納するためのスペースとして用いることも可能である。
【００２７】
図２１に示すように、図１２に示されたフレーム構造の前面には扉９０が取付けられ、側面は側板１１０で覆われ、上面は天井板１２０で覆われ、下面は底板で覆われ、電気機器収納用箱となる。なお、底板は省略されることがある。
【００２８】
図２２に示すように、扉９０は扉枠９１と中央の透過板９２とからなる。扉枠９１の裏面の左右端部には、補強レール９３が上下方向に取付けられている。透過板９２はたとえば透明なアクリル樹脂板であり、内部が目視可能となっている。扉枠９１の片側には扉側蝶番部９４が取付けられ、反対側にはハンドル９５が設けられている。
【００２９】
図２３〜２５に示すように、前面側の支柱フレーム１０の固定辺１１には箱体側蝶番部９６が取付けられている。箱体側蝶番部９６はピン受け部９７を備えており、扉側蝶番部９４の下向きに突出した蝶番ピン９８を受けるようになっている。蝶番を外すためには蝶番ピン９８を上方にスライドさせる必要があり、図２６に示す蝶番ピン操作部９９が扉側に設けられている。本実施形態では蝶番ピン操作部９９は扉９０の裏面側から操作する構造となっており、扉９０の外側からは蝶番を外せないようになっている。
【００３０】
図２７に示すように、ハンドル９５は扉９０の裏面の上下のクランプ１００と接続されている。ハンドル９５を引き上げ操作すると上下のクランプ１００が揺動する。図２７に示すように、前面側の支柱フレーム１０の中央部には扉９０のクランプ１００を係止可能はクランプ係止部１０１が取付けられており、扉９０の中央部を鎖錠する。
【００３１】
また各クランプ１００には上下の鎖錠棒１０２が接続されており、ハンドル操作によって上側の鎖錠棒１０２と下側の鎖錠棒１０２は反対方向に動く。図２９に示すように扉９０の裏面には鎖錠棒１０２を案内する規制部材１０３が取付けられている。図３０に示すように、前面側の支柱フレーム１０の上下端部には鎖錠棒１０２を受ける鎖錠棒受け部１０４が取付けられている。図３０のように鎖錠棒１０２の先端が鎖錠棒受け部１０４と係合した状態では、扉９０の上下端部も鎖錠状態となる。なお図３０に示す１０５は鎖錠棒受け部１０４に取付けられた緩衝部材であり、扉９０が閉じる際の衝撃を緩和している。図２７に示すように、同様の緩衝部材１０６がクランプ係止部１０１にも取付けられている。
【００３２】
図３１、３２に示すように、側板１１０は下端部の左右と中央に複数形成された突出片１１１を奥行フレーム５０に形成されたスリット１１２に係止させたうえで、側板１１の上部左右に設けたラッチ錠１１３により支柱フレームに固定される。支柱フレームにはスリット１１４が形成されており、ラッチ錠１１３の係止具操作片１１５を操作して、図３４、３５に示すように係止具１１６をスリット１１４に挿入して固定する。
【００３３】
なお、図３２に示すように、側板１１０の中央部にも補強レール１１７が上下方向に設けられている。また、図３４に示すように、側板１１０の上下左右の端部には補強のための側板折返辺１３０を形成するとともに、左右端部のラッチ錠１１３の対応位置には、係止具１１６が移動可能な切欠部１１８が形成されている。
【００３４】
図２１に示すように、天井板１２０は前後の支柱フレーム１０、２０を覆う形状である。天井板１２０の後部には後面側の横フレーム４０に形成された開口１２１に対応する天井孔部１２２が形成されており、電線などを筐体内部に通すことができるようになっている。このほか、天井板１２０に通気孔を設けて筐体内部で加熱された空気を排気できるようにしてもよい。
【符号の説明】
【００３５】
１０  前面側の支柱フレーム
１１  固定辺
１２  折返辺
１３  第１折曲辺
１４  第２折曲辺
１５  接続辺
１６  対向辺
１７  機器取付辺
１８  孔部
１９  孔部
２０  後面側の支柱フレーム
２１  固定辺
２２  折返辺
２３  第１折曲辺
２４  第２折曲辺
２５  接続辺
２６  対向辺
２７  機器取付辺
３０  前面側の横フレーム
３１  固定辺
３２  第１腕部
３３  連結部
３４  第２腕部
３５  補強辺
４０  後面側の横フレーム
４１  固定辺
４２  第１腕部
４３  連結部
４４  第２腕部
４５  補強辺
５０  奥行フレーム
５１  固定辺
５２  第１腕部
５３  連結部
５４  第２腕部
５５  折返辺
５６  取付辺
６０  マウントフレーム
６１  固定辺
６２  取付金具取付部
６３  第１折返辺
６４  機器取付辺
６５  第２折返辺
６６  固定孔
６７  機器取付孔
７０  マウントフレーム取付金具
７１  位置調整孔
７２  フレーム取付孔
８０  コンセントバー
８１  配線用スペース
９０  扉
９１  扉枠
９２  扉枠
９２  透過板
９３  補強レール
９４  扉側蝶番部
９５  ハンドル
９６  箱体側蝶番部
９７  ピン受け部
９８  蝶番ピン
９９  蝶番ピン操作部
１００  クランプ
１０１  クランプ係止部
１０２  鎖錠棒
１０３  規制部材
１０４  鎖錠棒受け部
１０５  緩衝部材
１０６  緩衝部材
１１０  側板
１１１  突出片
１１２  スリット
１１３  ラッチ錠
１１４  スリット
１１５  係止具操作片
１１６  係止具
１１７  補強レール
１１８  切欠部
１２０  天板
【図１】
0006558961.tif 000002
【図２】
0006558961.tif 000003
【図３】
0006558961.tif 000004
【図４】
0006558961.tif 000005
【図５】
0006558961.tif 000006
【図６】
0006558961.tif 000007
【図７】
0006558961.tif 000008
【図８】
0006558961.tif 000009
【図９】
0006558961.tif 000010
【図１０】
0006558961.tif 000011
【図１１】
0006558961.tif 000012
【図１２】
0006558961.tif 000013
【図１３】
0006558961.tif 000014
【図１４】
0006558961.tif 000015
【図１５】
0006558961.tif 000016
【図１６】
0006558961.tif 000017
【図１７】
0006558961.tif 000018
【図１８】
0006558961.tif 000019
【図１９】
0006558961.tif 000020
【図２０】
0006558961.tif 000021
【図２１】
0006558961.tif 000022
【図２２】
0006558961.tif 000023
【図２３】
0006558961.tif 000024
【図２４】
0006558961.tif 000025
【図２５】
0006558961.tif 000026
【図２６】
0006558961.tif 000027
【図２７】
0006558961.tif 000028
【図２８】
0006558961.tif 000029
【図２９】
0006558961.tif 000030
【図３０】
0006558961.tif 000031
【図３１】
0006558961.tif 000032
【図３２】
0006558961.tif 000033
【図３３】
0006558961.tif 000034
【図３４】
0006558961.tif 000035
【図３５】
0006558961.tif 000036